(57)【要約】      （修正有）【課題】強度が高く、メッキ処理（防錆処理）時にメッキムラが生じにくいトレブルフックを提供する。【解決手段】略Ｊ字状に湾曲して形成された３本の針構成材１２（１２ａ，１２ｂ，１２ｃ）の軸部１４ａ同士をロウ付け固定して錨型としたトレブルフック１０であって、ロウ付けが行われているロウ付け部２６ａと、ロウ付け部２６ａの針先側にてロウ付けが行われていない非ロウ付け部２６ｂとからなり、非ロウ付け部２６ｂの軸部１４（１４ｂ，１４ｃ）同士が互いに離間していることを特徴とする。【選択図】図１
2019076005.tif 000002
【特許請求の範囲】
【請求項１】
略Ｊ字状に湾曲して形成された３本の針構成材の軸部同士をロウ付け固定して錨型としたトレブルフックであって、
前記軸部は、ロウ付けが行われているロウ付け部と、前記ロウ付け部の針先側にてロウ付けが行われていない非ロウ付け部とからなり、前記非ロウ付け部の軸部同士が互いに離間していることを特徴とするトレブルフック。
【発明の詳細な説明】
【技術分野】
【０００１】
本発明は、強度が高く、メッキ処理（防錆処理）ムラが生じにくいトレブルフックに関する。
【背景技術】
【０００２】
ルアーやワームに取り付けるフックは、シングルフック（１本針）、ダブルフック（２本針）およびトレブルフック（３本針）の３種類に大別できる。このうち、トレブルフックは、シングルフックやダブルフックに比べて針の数が多くフッキング率が高いため、釣果がより期待できるとして広く一般的に使用されている。ルアーやワームにトレブルフックを取り付けて使用する例としては、例えば、特許文献１〜２が存在する。
【０００３】
従来のトレブルフックの構造について説明すると、図４に示したように、従来のトレブルフック１は、３本の針構成材２を錨型に組み合わせた形状をなしている。各針構成材２は、金属線材を折曲形成したもので、上下方向に延びる直線状の軸部３と、軸部３の下端から延設されている略Ｕ字状に湾曲したフック部４とを有しており、フック部４の先端には針先５が形成されている。なお、３本の針構成材２のうちの１本には、軸部３の上端部にアイ６が形成されている。
【０００４】
次に、トレブルフック１の製造方法について簡単に説明すると、まず、３本の針構成材２を用意し、軸部３の背側（針先５が設けられているのとは反対側）同士を当接させる。そして、針先５が等角度間隔（１２０度間隔）となるように角度調整を行い、然る後、軸部３の上側部分をロウ付けして固定一体化する。そして、必要に応じて表面をメッキ処理することによりトレブルフック１が形成される。軸部３のうちロウ付け固定されている部分（軸部３の上側部分）がロウ付け部３ａであり、ロウ付け固定されていない部分（軸部３の下側部分）が非ロウ付け部３ｂである。
【先行技術文献】
【特許文献】
【０００５】
【特許文献１】特開２０１２−２４４９６７号公報（図１）
【特許文献２】特開２０１３−２４３９８３号公報（図７）
【発明の概要】
【発明が解決しようとする課題】
【０００６】
従来のトレブルフック１は、上述したように３本の針構成材２の軸部３がその背側部分で互いに当接しており、且つ、その上側部分のロウ付け部３ａにおいてしっかりと固定されているので、各針構成材２は、軸部３の動きが規制されて弾性変形が起こりにくくなっている。軸部３の動きが規制されておらず自由に弾性変形が可能なシングルフックとはこの点において異なる。
【０００７】
従来のトレブルフック１に魚が掛かると（通常、３本の針構成材２の全てに同時に魚が掛かるわけではなく、このうちの１本または２本に魚が掛かることが多い）、魚が掛かっている針構成材２の軸部３には、大きな応力が加わる。
【０００８】
ところが、各針構成材２は、上述したように軸部３の動きが規制されて弾性変形が起こりにくくなっていることから、塑性変形を起こして折損しやすいという問題があった。
【０００９】
また、トレブルフック１が特に海釣り用途として用いられる場合は、防錆のため、表面にメッキ処理が施されるが、非ロウ付け部３ｂ（特に、３本の軸部３が当接している部分）へのメッキ処理は行いにくく、メッキムラが生じやすかった。そのため、このメッキムラが生じている非ロウ付け部３ｂにおいて錆びが生じやすく、トレブルフック１の寿命を縮めてしまうという問題もあった。
【００１０】
本願発明は、かかる従来の問題点に鑑みてなされたもので、強度が高く、メッキ処理（防錆処理）時にメッキムラが生じにくいトレブルフックを提供することにある。
【課題を解決するための手段】
【００１１】
請求項１に記載した発明は、「略Ｊ字状に湾曲して形成された３本の針構成材１２（１２ａ，１２ｂ，１２ｃ）の軸部１４同士をロウ付け固定して錨型としたトレブルフック１０であって、軸部１４は、ロウ付けが行われているロウ付け部２６ａと、ロウ付け部２６ａの針先側にてロウ付けが行われていない非ロウ付け部２６ｂとからなり、非ロウ付け部２６ｂの軸部１４（１４ｂ，１４ｃ）同士が互いに離間している」ことを特徴とするトレブルフック１０である。
【発明の効果】
【００１２】
請求項１に記載の発明によれば、３本の針構成材の軸部は、非ロウ付け部において互いに離間しており、軸部の動きが規制されていない。したがって、トレブルフックに魚が掛かると、シングルフックと同様、針構成材が自由に弾性変形することが可能となるので、従来のような塑性変形による折損が生じにくくなり、トレブルフック全体の強度を高めることができる。
【００１３】
また、上述したように、軸部における非ロウ付け部は互いに離間しているので、防錆のためにその表面にメッキ処理（防錆処理）を施したとしても従来のようなメッキムラが生じることはなく、錆びにくいトレブルフックを提供できる。
【図面の簡単な説明】
【００１４】
【図１】この発明に係るトレブルフックを示す斜視図である。
【図２】主針構成材を示す図である。
【図３】副針構成材を示す図である。
【図４】従来のトレブルフックを示す図である。
【発明を実施するための形態】
【００１５】
以下、本発明を図面に従って説明する。図１は、本発明にかかるトレブルフック１０を示す斜視図である。この図が示すように、トレブルフック１０は、３本の針構成材１２（１２ａ，１２ｂ，１２ｃ）を錨型に組み合わせた形状をなしている。
【００１６】
各針構成材１２は、金属線材（本実施例では、ピアノ線が用いられている）を折曲形成したもので、軸部１４と、軸部１４の下端から延設されている湾曲したフック部１６とを有しており、フック部１６の先端には、先鋭な針先１８が形成されており、全体として略Ｊ字状に湾曲して形成されている。
【００１７】
ここで、針構成材１２には、図２に示すように、軸部１４の上端部にアイ２０が形成されているもの（主針構成材１２ａ）と、図３に示すように、軸部１４の上端部にアイ２０が形成されていないもの（副針構成材１２ｂ，１２ｃ）とがある。アイ２０は、ハリスが取り付けられる環状の部分である。なお、両者を区別しない場合は、単に「針構成材１２」と呼ぶ。
【００１８】
軸部１４は、固定部１４ａ、離間部１４ｂおよび脚部１４ｃを有し、これらがこの順で一体的に形成されている。固定部１４ａは、３本の針構成材１２がロウ付け固定される部分で、本実施例では、軸部１４全体の約２０％の長さが固定部１４ａとなるように設定されている。なお、固定部１４ａの軸部１４全体に対する割合をどの範囲に設定するかは、トレブルフック１０全体の強度や大きさ、各針構成材１２の軸径等を勘案して適宜設定され、通常は、軸部１４全体の１０％〜５０％の範囲に設定される。固定部１４ａの割合が１０％よりも小さい場合は、３本の針構成材１２を固定するための強度が不足する。一方、固定部１４ａの割合が５０％よりも多い場合は、後述する非ロウ付け部２６ｂ（離間部１４ｂおよび脚部１４ｃ）の自由度が小さく弾性変形しにくくなるため、針構成材１２が折損しやすくなる。
【００１９】
固定部１４ａの下端には、第１屈曲部２２を介して離間部１４ｂが延設されている。離間部１４ｂは、３本の針構成材１２の軸部１４のうち、非ロウ付け部２６ｂ（後述）が互いに接触しないようにするための部分で、固定部１４ａよりも径方向外側に向かって傾斜するように延びている。
【００２０】
離間部１４ｂの下端部には、第２屈曲部２４を介して脚部１４ｃが延設されている。脚部１４ｃは、固定部１４ａと略平行に延びる直線状の部分で、その下端部にフック部１６が延設されている。
【００２１】
フック部１６は、略Ｕ字状に折曲形成された部分で、その先端には、上述したように針先１８が形成されている。
【００２２】
なお、本実施例では、軸部１４、フック部１６（およびアイ２０）は、これら全てが同一平面上に並んで配置されている。
【００２３】
次にトレブルフック１０の制作方法について説明する。まず、主針構成材１２ａと２本の副針構成材１２ｂ，１２ｃを用意し、各針構成材１２の軸部１４同士、より具体的には軸部１４の固定部１４ａ同士を、その背側（針先１８が形成されていない側）が互いに当接するよう所定の治具（図示省略）で保持する。このとき、針先１８の間隔がそれぞれ１２０度となるよう、主針構成材１２ａおよび２本の副針構成材１２ｂ，１２ｃが等間隔に開いた状態で配置される。
【００２４】
そして、３つの針構成材１２の軸部１４のうち、固定部１４ａをロウ付け固定することにより、目的とするトレブルフック１０が完成する。ロウ付けは、アイ２０の下端に形成されている開口部２０ａ（図２参照）を覆うように行われる。ロウ付け用の材料としては、真鍮ロウや銀ロウなど適宜のものが用いられる（本実施例では真鍮ロウが用いられている。）。
なお、軸部１４のうち、ロウ付けされている部分（固定部１４ａ）がロウ付け部２６ａであり、ロウ付けされていない部分（離間部１４ｂと脚部１４ｃ）が非ロウ付け部２６ｂである。
【００２５】
以上のようにして形成されたトレブルフック１０においては、軸部１４のロウ付け部２６ａ（固定部１４ａ）においてロウ付けされてしっかりと固定されている。一方、非ロウ付け部２６ｂ（離間部１４ｂと脚部１４ｃ）は互いに離間しており（これにより、各針構成材１２の間には、空間Ｘが形成されている）、軸部１４（より詳しくは、離間部１４ｂと脚部１４ｃ）の動きが規制されておらずフリーな状態となっている。
【００２６】
したがって、本実施例に係るトレブルフック１０に魚が掛かると、シングルフックと同様、針構成材１２が非ロウ付け部２６ｂにおいてしなやかに撓むことができるので、従来のトレブルフックに比べて折損が生じにくくなり、強度が大いに高められる。
【００２７】
また、トレブルフック１０の表面に防錆のためのメッキ処理（防錆処理）を施した際には、軸部１４における非ロウ付け部２６ｂ（離間部１４ｂと脚部１４ｃ）が互いに離間しているので、従来のようなメッキムラが生じることはなく、錆びにくいトレブルフック１０を提供することが可能となる。
【００２８】
なお、上述の実施例では、各針構成材１２（１２ａ〜１２ｃ）が別体として形成されているが、主針構成材１２ａと１本の副針構成材１２ｂとが一体化されたダブルフック状のものと、副針構成材１２ｃとをロウ付けするようにしてもよい。
【符号の説明】
【００２９】
１：（従来の）トレブルフック、２：針構成材、３：軸部、３ａ：ロウ付け部、３ｂ：非ロウ付け部、４：フック部、５：針先、６：アイ、１０:トレブルフック、１２：針構成材、１２ａ：主針構成材、１２ｂ，１２ｃ：副針構成材、１４：軸部、１４ａ：固定部、１４ｂ：離間部、１４ｃ：脚部、１６：フック部、１８：針先、２０：アイ、２０ａ：開口部、２２：第１屈曲部、２４：第２屈曲部、２６ａ：ロウ付け部、２６ｂ：非ロウ付け部、Ｘ：空間
【図１】
2019076005.tif 000003
【図２】
2019076005.tif 000004
【図３】
2019076005.tif 000005
【図４】
2019076005.tif 000006